(57)【要約】【課題】複数の器具の設置後に各器具の設置位置を正確に特定する。【解決手段】端末操作者が、レーザ発光機能を持つ施工器具を用いて、複数の機器の任意の１つの機器の受光部に、レーザ光を照射し、受光部でレーザ光を受光した、任意の１つの機器が、通信機能を用いて自機器に付与されたＩＤ番号を前記端末機器に送信し、前記端末機器が、前記任意の１つの機器から送信されたＩＤ番号を受信し、前記表示部に表示された複数の機器の配置図の中で、前記端末操作者が前記任意の１つの機器として特定した機器の設置位置に基づき、受信したＩＤ番号と、任意の１つの機器の設置位置を対応付け、当該対応付けた前記任意の機器のＩＤ番号と設置位置を、通信機能を介してサーバに送信し、サーバが、対応付けた前記任意の機器のＩＤ番号と設置位置とを格納部に格納する。【選択図】        図１
2015103398.tif 000002
【特許請求の範囲】
【請求項１】
複数の機器と、
位置登録確認・制御操作をする端末機器と、
前記複数の機器と前記端末機器とが、ネットワークを介して相互に接続されるシステムにおける機器の位置・ＩＤ番号登録方法であって、
前記複数の機器の各々は、固有のＩＤ番号が格納されているメモリと、通信機能と、受光機能とを有し、
前記端末機器は、通信機能と、前記複数の機器の配置図を表示する表示部を有し、
レーザ発光機能を持つ施工器具を用いて、複数の機器の任意の１つの機器の受光部に、レーザ光を照射するステップ１と、
前記受光部で前記レーザ光を受光した前記任意の１つの機器が、通信機能を用いて自機器に付与されたＩＤ番号を前記端末機器に送信するステップ２と、
前記端末機器が、前記任意の１つの機器から送信されたＩＤ番号を受信するステップ３と、
前記端末機器が、前記表示部に表示された複数の機器の配置図の中で、端末操作者が前記任意の１つの機器として特定した機器の設置位置に基づき、前記ステップ３で受信したＩＤ番号と、前記任意の１つの機器の設置位置を対応付けるステップ４と、
前記複数の機器の全てについて、前記ステップ１を実行するステップ４とを有することを特徴とする機器の位置・ＩＤ番号登録方法。
【請求項２】
複数の機器と、
位置登録確認・制御操作をする端末機器と、
サーバとを有し、
前記複数の機器と前記端末機器と前記サーバとが、ネットワークを介して相互に接続されるシステムにおける機器の位置・ＩＤ番号登録方法であって、
前記複数の機器の各々は、固有のＩＤ番号が格納されているメモリと、通信機能と、受光機能とを有し、
前記端末機器は、通信機能と、前記複数の機器の配置図を表示する表示部を有し、
前記サーバは、前記各機器毎に、機器のＩＤ番号と設置位置とを格納する格納部を有し、
端末操作者が、レーザ発光機能を持つ施工器具を用いて、複数の機器の任意の１つの機器の受光部に、レーザ光を照射するステップ１と、
前記受光部で前記レーザ光を受光した前記任意の１つの機器が、通信機能を用いて自機器に付与されたＩＤ番号を前記端末機器に送信するステップ２と、
前記端末機器が、前記任意の１つの機器から送信されたＩＤ番号を受信するステップ３と、
前記端末機器が、前記表示部に表示された複数の機器の配置図の中で、端末操作者が前記任意の１つの機器として特定した機器の設置位置に基づき、前記ステップ３で受信したＩＤ番号と、前記任意の１つの機器の設置位置を対応付けるステップ４と、
前記端末機器が、前記ステップ４で対応付けた前記任意の機器のＩＤ番号と設置位置を、通信機能を介して前記サーバに送信するステップ５と、
前記サーバが、前記ステップ４で対応付けた前記任意の機器のＩＤ番号と設置位置とを格納部に格納するステップ６と、
前記複数の機器の全てについて、前記ステップ１ないしステップ６を実行するステップ７とを有することを特徴とする機器の位置・ＩＤ番号登録方法。
【請求項３】
前記ステップ５は、前記端末機器が、前記ステップ４で対応付けた前記任意の機器のＩＤ番号と設置位置を、通信機能を介して前記機器に送信するステップ５１を有し、
前記ステップ６は、前記端末機器が、前記ステップ４で対応付けた前記任意の機器のＩＤ番号と設置位置とをメモリに格納するステップ６１とを有することを特徴とする請求項２に記載の機器の位置・ＩＤ番号登録方法。
【請求項４】
複数の機器と、
位置登録確認・制御操作をする端末機器と、
サーバとを有し、
前記複数の機器と前記端末機器と前記サーバとが、ネットワークを介して相互に接続されるシステムにおける機器の位置・ＩＤ番号登録方法であって、
前記複数の機器の各々は、固有のＩＤ番号が格納されているメモリと、通信機能と、受光機能とを有し、
前記端末機器は、通信機能を有し、
前記サーバは、前記各機器毎に、機器のＩＤ番号と設置位置とを格納する格納部を有し、
端末操作者が、レーザ発光機能を持つ施工器具を用いて、複数の機器の任意の１つの機器の受光部に、レーザ光を照射するとともに、距離測定器を用いて前記任意の１つの機器の３次元位置を測定するステップ１と、
前記受光部で前記レーザ光を受光した前記任意の１つの機器が、通信機能を介して、自機器に付与されたＩＤ番号を前記端末機器に送信するステップ２と、
前記端末機器が、前記任意の１つの機器から送信されたＩＤ番号を受信するステップ３と、
前記端末機器が、前記端末操作者が入力した前記任意の１つの機器の３次元位置に基づき、前記ステップ３で受信したＩＤ番号と、前記任意の１つの機器の設置位置を対応付けるステップ４と、
前記端末機器が、前記ステップ４で対応付けた前記任意の機器のＩＤ番号と設置位置を、通信機能を介して前記サーバに送信するステップ５と、
前記サーバが、前記ステップ４で対応付けた前記任意の機器のＩＤ番号と設置位置とを格納部に格納するステップ６と、
前記複数の機器の全てについて、前記ステップ１ないしステップ６を実行するステップ７とを有することを特徴とする機器の位置・ＩＤ番号登録方法。
【請求項５】
前記ステップ１で使用される距離測定器は、レーザ測距計、電子セオドライト、あるいは、トータルステーションであることを特徴とする請求項４に記載の機器の位置・ＩＤ番号登録方法。
【請求項６】
前記ステップ５は、前記端末機器が、前記ステップ４で対応付けた前記任意の機器のＩＤ番号と設置位置を、通信機能を介して前記任意の機器に送信するステップ５１を有し、
前記ステップ６は、前記任意の機器が、前記ステップ４で対応付けた前記任意の機器のＩＤ番号と設置位置とをメモリに格納するステップ６１とを有することを特徴とする請求項４に記載の機器の位置・ＩＤ番号登録方法。
【請求項７】
複数の機器と、
サーバとを有し、
前記複数の機器と前記サーバとが、ネットワークを介して相互に接続されるシステムにおける機器の位置・ＩＤ番号登録方法であって、
前記複数の機器の各々は、固有のＩＤ番号が格納されているメモリと、通信機能と、受光機能とを有し、
前記サーバは、前記各機器毎に、機器のＩＤ番号と設置位置とを格納する格納部を有し、
前記サーバとの通信機能を有するレーザ照射式測定器が、前記サーバの制御の下に、複数の機器の任意の１つの機器にレーザ光を照射し、前記任意の１つの機器の３次元位置を測定し、前記サーバに当該測定した３次元位置を送信するステップ１と、
前記受光部で前記レーザ光を受光した前記任意の１つの機器が、通信機能を用いて自機器に付与されたＩＤ番号を前記サーバに送信するステップ２と、
前記サーバが、前記ステップ１で前記レーザ照射式測定器から受信した３次元位置と、前記ステップ２で受信したＩＤ番号とを対応付け、前記任意の機器のＩＤ番号と設置位置とを格納部に格納するステップ３と、
前記複数の機器の全てについて、前記ステップ１ないしステップ３を実行するステップ４とを有することを特徴とする機器の位置・ＩＤ番号登録方法。
【請求項８】
前記ステップ１で使用されるレーザ照射式測定器は、レーザ測距計、電子セオドライト、あるいは、トータルステーションであることを特徴とする請求項７に記載の機器の位置・ＩＤ番号登録方法。
【請求項９】
前記ステップ３の後に、前記サーバが、前記ステップ３で対応付けた前記任意の機器のＩＤ番号と設置位置を、通信機能を介して前記任意の機器に送信するステップ３１と、
前記任意の機器が、前記ステップ３で対応付けた前記任意の機器のＩＤ番号と設置位置とをメモリに格納するステップ３２とを有することを特徴とする請求項７に記載の機器の位置・ＩＤ番号登録方法。
【発明の詳細な説明】
【技術分野】
【０００１】
本発明は、機器の位置・ＩＤ番号登録方法に係わり、特に、空間における機器の位置を確定する際に有効な技術に関する。
【背景技術】
【０００２】
従来の照明制御システムにおいて、例えば、建物内の天井面に複数の照明器具を設置する場合に、照明器具毎に個別に付与された器具識別情報（所謂、ＩＤ番号）を設置位置とを対応付けて記入された施工図に基づいて、複数の照明器具を設置している。
これにより、従来の照明制御システムでは、例えば、建物内の天井面に配設された複数の照明器具のオン／オフを、個別に遠隔操作可能となる。
しかしながら、照明器具の施工時に配線を間違えて、施工図とは異なる施工状態となってしまう恐れがあった。通常、照明器具の配線間違いは、照明器具の設置後に実際に点灯制御することによって発覚するため、配線が間違っていた場合には、照明器具を再度施工し直すという労力が必要であった。
前述の問題点を解決するために、照明器具の設置後に各照明器具の設置場所を特定する技術が、下記特許文献１、特許文献２に開示されている。
【先行技術文献】
【特許文献】
【０００３】
【特許文献１】特開２００８−２４３８０６号公報
【０００４】
【特許文献２】特開２００９−２３８５３７号公報
【発明の概要】
【発明が解決しようとする課題】
【０００５】
しかしながら、特許文献１に記載された技術では、各照明器具における、第１および第２の位置検出器からの無線信号の受信レベルと、第１の位置検出器と第２の位置検出器との間の距離とに基づき、複数の照明器具の設置位置を特定している。そのため、複数の照明器具の間隔が狭いと、複数の照明器具の設置位置を正確に特定できない恐れがある。
また、特許文献２に記載された技術では、ＧＰＳを用いて複数の照明器具の設置位置を特定している。そのため、ＧＰＳ信号が受信できない所では、複数の照明器具の設置位置を正確に特定できないという問題点があった。
本発明は、前記従来技術の問題点を解決するためになされたものであり、本発明の目的は、複数の器具の設置後に各器具の設置位置を正確に特定することが可能となる技術を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
（１）複数の機器と、位置登録確認・制御操作をする端末機器と、サーバとを有し、前記複数の機器と前記端末機器と前記サーバとが、ネットワークを介して相互に接続されるシステムにおける機器の位置・ＩＤ番号登録方法であって、前記複数の機器の各々は、固有のＩＤ番号が格納されているメモリと、通信機能と、受光機能とを有し、前記端末機器は、通信機能と、前記複数の機器の配置図を表示する表示部を有し、前記サーバは、前記各機器毎に、機器のＩＤ番号と設置位置とを格納する格納部を有し、端末操作者が、レーザ発光機能を持つ施工器具を用いて、複数の機器の任意の１つの機器の受光部に、レーザ光を照射するステップ１と、前記受光部で前記レーザ光を受光した前記任意の１つの機器が、通信機能を用いて自機器に付与されたＩＤ番号を前記端末機器に送信するステップ２と、前記端末機器が、前記任意の１つの機器から送信されたＩＤ番号を受信するステップ３と、前記端末機器が、前記表示部に表示された複数の機器の配置図の中で、前記端末操作者が前記任意の１つの機器として特定した機器の設置位置に基づき、前記ステップ３で受信したＩＤ番号と、前記任意の１つの機器の設置位置を対応付けるステップ４と、前記端末機器が、前記ステップ４で対応付けた前記任意の機器のＩＤ番号と設置位置を、通信機能を介して前記サーバに送信するステップ５と、前記サーバが、前記ステップ４で対応付けた前記任意の機器のＩＤ番号と設置位置とを格納部に格納するステップ６と、前記複数の機器の全てについて、前記ステップ１ないしステップ６を実行するステップ７とを有する。
【０００７】
（２）複数の機器と、位置登録確認・制御操作をする端末機器と、サーバとを有し、前記複数の機器と前記端末機器と前記サーバとが、ネットワークを介して相互に接続されるシステムにおける機器の位置・ＩＤ番号登録方法であって、前記複数の機器の各々は、固有のＩＤ番号が格納されているメモリと、通信機能と、受光機能とを有し、前記端末機器は、通信機能を有し、前記サーバは、前記各機器毎に、機器のＩＤ番号と設置位置とを格納する格納部を有し、端末操作者が、レーザ発光機能を持つ施工器具を用いて、複数の機器の任意の１つの機器の受光部に、レーザ光を照射するとともに、距離測定器を用いて前記任意の１つの機器の３次元位置を測定するステップ１と、前記受光部で前記レーザ光を受光した前記任意の１つの機器が、通信機能を介して、自機器に付与されたＩＤ番号を前記端末機器に送信するステップ２と、前記端末機器が、前記任意の１つの機器から送信されたＩＤ番号を受信するステップ３と、前記端末機器が、前記端末操作者が入力した前記任意の１つの機器の３次元位置に基づき、前記ステップ３で受信したＩＤ番号と、前記任意の１つの機器の設置位置を対応付けるステップ４と、前記端末機器が、前記ステップ４で対応付けた前記任意の機器のＩＤ番号と設置位置を、通信機能を介して前記サーバに送信するステップ５と、前記サーバが、前記ステップ４で対応付けた前記任意の機器のＩＤ番号と設置位置とを格納部に格納するステップ６と、前記複数の機器の全てについて、前記ステップ１ないしステップ６を実行するステップ７とを有する。
【０００８】
（３）複数の機器と、サーバとを有し、前記複数の機器と前記サーバとが、ネットワークを介して相互に接続されるシステムにおける機器の位置・ＩＤ番号登録方法であって、前記複数の機器の各々は、固有のＩＤ番号が格納されているメモリと、通信機能と、受光機能とを有し、前記サーバは、前記各機器毎に、機器のＩＤ番号と設置位置とを格納する格納部を有し、前記サーバとの通信機能を有するレーザ照射式測定器が、前記サーバの制御の下に、複数の機器の任意の１つの機器にレーザ光を照射し、前記任意の１つの機器の３次元位置を測定し、前記サーバに当該測定した３次元位置を送信するステップ１と、前記受光部で前記レーザ光を受光した前記任意の１つの機器が、通信機能を用いて自機器に付与されたＩＤ番号を前記サーバに送信するステップ２と、前記サーバが、前記ステップ１で前記レーザ照射式測定器から受信した３次元位置と、前記ステップ２で受信したＩＤ番号とを対応付け、前記任意の機器のＩＤ番号と設置位置とを格納部に格納するステップ３と、前記複数の機器の全てについて、前記ステップ１ないしステップ３を実行するステップ４とを有する。
【発明の効果】
【０００９】
本願において開示される発明のうち代表的なものによって得られる効果を簡単に説明すれば、下記の通りである。
本発明によれば、複数の器具・センサの設置後に各複数の器具・センサの設置位置を正確に特定することが可能となる。
【図面の簡単な説明】
【００１０】
【図１】本発明の実施例１の機器の位置・ＩＤ番号登録方法を説明するための図である。
【図２】本発明の実施例２の機器の位置・ＩＤ番号登録方法を説明するための図である。
【図３】本発明の実施例３の機器の位置・ＩＤ番号登録方法を説明するための図である。
【図４】本発明の実施例３の機器の位置・ＩＤ番号登録方法における、３次元スキャン機能を持つレーザ測定装置を説明するための図である。
【発明を実施するための形態】
【００１１】
以下、本発明を照明制御システムに適用した実施例について、図面を参照して詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［本発明が適用される照明制御システム構成］
図１は、本発明の実施例１の機器の位置・ＩＤ番号登録方法を説明するための図である。
図１に示すように、本発明が適用される照明制御システムは、例えば、建物内の天井面に複数設置されるＬＥＤ（Light Emitting Diode）照明装置１と、ＬＥＤ照明装置１を制御・操作する端末機器２と、これらＬＥＤ照明装置１と、端末機器２と、ネットワークを介して接続されるサーバ３とで構成される。なお、本発明の各実施例では、ネットワークは、無線ネットワークを想定しているが、有線のネットワークでもよい。
図１に示すように、図１に示すＬＥＤ照明装置１は、ＬＥＤ蛍光管あるいはＬＥＤパネルから成る照明機器１０と、センサ１１と、制御部１２とで構成される。ここで、センサ１１は、ビルの各部屋の温度・湿度などの温熱環境を精緻に制御するためのものであり、複数のＬＥＤ照明装置１に一個だけ配置するようにしてもよい。
制御部１２は、通信部２１と、ＣＰＵ２２と、メモリ２３と、受光部２４と、ＣＰＵ２２と受光部２４との間に配置されるＤ／Ａ変換器２５と、ＣＰＵ２２と照明部１０（あるいはセンサ１１）との間に配置されるインターフェース部２６とで構成される。
メモリ２３には、自ＬＥＤ照明装置１のＩＤ番号が格納されている。
【００１２】
［実施例１］
以下、本発明の実施例１の機器の位置・ＩＤ番号登録方法について、図１を用いて説明する。
本実施例では、施工具５が使用される。端末操作者が、この施工具５を使用して、建物内の天井面に複数設置されたＬＥＤ照明装置１の任意の１つのＬＥＤ照明装置１に、パルス変調レーザ光を照射する。
任意の１つのＬＥＤ照明装置１は、制御部１２の受光部２４において、パルス変調レーザ光を受信すると、制御部１２のＣＰＵ２２は、メモリ２３からＩＤ番号を読み出し、無線で端末機器２に送信する。
ここで、端末機器２の表示部には、天井面に設置された複数のＬＥＤ照明装置１の配置図（ＣＡＤ図）が表示されており、端末操作者は、この表示部に表示された配置図上で、パルス変調レーザ光を照射したＬＥＤ照明装置１を指定する。
これにより、端末機器２は、端末操作者がパルス変調レーザ光を照射したＬＥＤ照明装置１のＩＤ番号と、設置位置を対応づける。
次に、端末機器２は、当該対応づけたＬＥＤ照明装置１のＩＤ番号と設置位置の情報をサーバ３と、パルス変調レーザ光が照射されたＬＥＤ照明装置１に送信する。
そして、サーバ３は、磁気ディスクなどの格納手段２０に、端末機器２より送信されてきた、ＬＥＤ照明装置１のＩＤ番号と設置位置の情報を格納する。
同様に、パルス変調レーザ光が照射されたＬＥＤ照明装置１は、制御部１２のメモリ２３に、ＬＥＤ照明装置１の設置位置情報を格納する。
本実施例によれば、配線ミスなどがあっても、例えば、建物内の天井面に設置されたＬＥＤ照明装置１のＩＤ番号と、実際に設置された位置とを、ＬＥＤ照明装置１の設置後に対応づけて登録することが可能となり、任意のＬＥＤ照明装置１の調光制御、あるいは、ＬＥＤ照明装置１内のセンサ１１により、空間温熱環境の精密な制御を行うことが可能となる。
【００１３】
［実施例２］
図２は、本発明の実施例２の機器の位置・ＩＤ番号登録方法を説明するための図である。
以下、本発明の実施例２の機器の位置・ＩＤ番号登録方法を、図２を用いて説明する。
本実施例は、建物内の天井面に複数設置したＬＥＤ照明装置１の配置図が、消失した等の理由により不明の場合の実施例である。
始めに、端末操作者が、施工具５を使用して、天井に設置されたＬＥＤ照明装置の任意の１つのＬＥＤ照明装置１の制御部１２の受光部２４に、パルス変調レーザ光を照射する。
任意の１つのＬＥＤ照明装置１は、制御部１２の受光部２４において、パルス変調レーザ光を受信すると、制御部１２のＣＰＵ２２は、メモリ２３からＩＤ番号を読み出し、無線で端末機器２に送信する。
次に、端末操作者は、パルス変調レーザ光を照射したＬＥＤ照明装置１の位置（三次元位置）を距離測定器６で測定し、端末機器２に入力する。ここで、距離測定器としては、レーザ測距計、電子セオドライト、トータルステーション（測距・測角儀）を使用する。
これにより、端末機器２は、端末操作者がパルス変調レーザ光を照射したＬＥＤ照明装置１のＩＤ番号と、設置位置とを対応づけ、端末機器２の表示部にＬＥＤ照明装置１の配置状態を表示する。これにより、端末操作者は、位置登録結果を確認することができる。
次に、端末機器２は、当該対応づけたＬＥＤ照明装置１のＩＤ番号と設置位置の情報をサーバ３と、パルス変調レーザ光が照射されたＬＥＤ照明装置１に送信する。
そして、サーバ３は、磁気ディスクなどの格納手段２０に、端末機器２より送信されてきた、ＬＥＤ照明装置１のＩＤ番号と設置位置の情報を格納する。
同様に、パルス変調レーザ光が照射されたＬＥＤ照明装置１は、制御部１２のメモリ２３に、ＬＥＤ照明装置１の設置位置情報を格納する。
本実施例でも、配線ミスなどがあっても、例えば、建物内の天井面に設置されたＬＥＤ照明装置１のＩＤ番号と、実際に設置された位置とを、ＬＥＤ照明装置１の設置後に対応づけて登録することが可能となり、任意のＬＥＤ照明装置１の調光制御、あるいは、ＬＥＤ照明装置１内のセンサ１１により、空間温湿度環境の精密な制御や、人の有無の監視を行うことが可能となる。
【００１４】
［実施例３］
図３は、本発明の実施例３の機器の位置・ＩＤ番号登録方法を説明するための図であり、図４は、本発明の実施例３の機器の位置・ＩＤ番号登録方法における、３次元スキャン機能を持つレーザ測定装置を説明するための図である。
以下、本発明の実施例３の機器の位置・ＩＤ番号登録方法、図３、図４を用いて説明する。
本実施例も、建物内の天井面に複数設置されたＬＥＤ照明装置１の配置図が、消失した等の理由により不明の場合の実施例である。
本実施例で、施工具５を使用せずに、サーバ３との間の通信機能と、３次元スキャン機能を持つレーザ測定装置７が使用される。
始めに、サーバ３が、複数のＬＥＤ照明装置１と端末機器２に、ＩＤ番号・設置位置情報の取得処理を実施することを通知する。
次に、レーザ測定装置７を使用して、天井に設置された複数のＬＥＤ照明装置１をスキャする。
複数のＬＥＤ照明装置１の中で、レーザ測定装置７のスキャンを受けたＬＥＤ照明装置１は、制御部１２の受光部２４でレーザ測定装置７からのレーザ光を受光すると、制御部１２のＣＰＵ２２は、メモリ２３からＩＤ番号を読み出し、サーバ３に送信する。
また、サーバ３は、ＬＥＤ照明装置１からＩＤ番号を受信した時に、その時点で、レーザ測定装置７で測定された位置（三次元位置）と、ＬＥＤ照明装置１から送信されたＩＤ番号とを対応づけ、磁気ディスクなどの格納手段２０に格納する。
また、レーザ測定装置７でスキャンを受けたＬＥＤ照明装置１に、測定された位置（三次元位置）を送信する。
レーザ測定装置７でスキャンを受けたＬＥＤ照明装置１は、制御部１２のメモリ２３に、ＬＥＤ照明装置１の設置位置情報を格納する。
処理が終了した時点で、ＬＥＤ照明装置１のＩＤ番号と設置位置の情報を、端末機器２に送信し、端末機器２は、表示部にＬＥＤ照明装置１のＩＤ番号と設置位置の関係を表示する。これにより、端末操作者は、位置登録結果を確認することができる。
本実施例でも、配線ミスなどがあっても、例えば、建物内の天井面に設置されたＬＥＤ照明装置１のＩＤ番号と、実際に設置された位置とを、ＬＥＤ照明装置１の設置後に対応づけて登録することが可能となり、任意のＬＥＤ照明装置１の調光制御、あるいは、ＬＥＤ照明装置１内のセンサ１１により、空間温熱環境の精密な制御を行うことが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１５】
１  ＬＥＤ照明装置
２  端末機器
３  サーバ
５  施工具
６  距離測定器
７  レーザ測定装置
１０  照明機器
１１  センサ
１２  制御部
２０  格納手段
２１  通信部
２２  ＣＰＵ
２３  メモリ
２４  受光部
２５  Ｄ／Ａ変換器
２６  インターフェース部
【図１】
2015103398.tif 000003
【図２】
2015103398.tif 000004
【図３】
2015103398.tif 000005
【図４】
2015103398.tif 000006